(57)【要約】【課題】本発明は、絶縁ゴム製の保持体に加える押圧力をほぼ一定に管理できる配電機器を提供することにある。【解決手段】本発明は、ケーブル１を支持部材２，１１に保持する絶縁ゴム製の保持体３，１２に、押圧により変位する変位部位（４Ｐ，５Ｐ，９Ａ，９Ｂ，１３Ａ，１３Ｂ，１０Ａ，１０Ｂ）を形成したのである。  上記構成とすることにより、変位部位（４Ｐ，５Ｐ，９Ａ，９Ｂ，１３Ａ，１３Ｂ，１０Ａ，１０Ｂ）の変位の程度を目視しながら押圧力を加えることができ、その結果、保持体３，１２に加える押圧力をほぼ一定に管理することができるのである。【選択図】図１
2005229690.tif 000002
【特許請求の範囲】
【請求項１】
絶縁ゴム製の保持体を押圧手段により押圧してケーブルを支持部材に保持してなる配電機器において、前記保持体に、押圧により変位する変位部位を形成したことを特徴とする配電機器。
【請求項２】
前記保持体は、支持部材側に配置される第１の保持体と押圧力付与側に配置される第２の保持体からなり、これら第１及び第２の保持体によって前記ケーブルを挟圧するように形成したことを特徴とする請求項１記載の配電機器。
【請求項３】
前記変位部位は、対向部との間の寸法が押圧により縮小するように構成されていることを特徴とする請求項１又は２記載の配電機器。
【請求項４】
前記変位部位は、前記保持体に突設した突起部であることを特徴とする請求項１，２又は３記載の配電機器。
【請求項５】
前記変位部位は、前記保持体の目視できる位置に設けた空所であることを特徴とする請求項１，２又は３記載の配電機器。
【発明の詳細な説明】
【技術分野】
【０００１】
本発明は、絶縁被覆電線を含むケーブルを保持体によって保持する配電機器に係り、特に、保持体が絶縁ゴムで形成されている配電機器に関する。
【背景技術】
【０００２】
従来からケーブルを保持体によって保持する配電機器は、例えば特許文献１に開示されているように、周知である。
【０００３】
【特許文献１】特開平８−１５４３１４号公報
【発明の開示】
【発明が解決しようとする課題】
【０００４】
上記特許文献１に開示の配電機器は、ケーブルを保持する保持体が剛体で形成されているため、ケーブルと保持体との間に隙間が生じないように押さえるには、ケーブルの外径部を押圧変形させて押さえている。しかし、ケーブルの外径部を押圧変形させるように押さえると、ケーブルの外径部を損傷させることになるので、剛性の保持体の代わりに絶縁ゴム製の保持体でケーブルを保持することが試みられている。
【０００５】
しかしながら、絶縁ゴム製の保持体を用いた場合、保持体に加える押圧力を均一に管理することが困難であり、作業者の技量に頼らざるを得なかった。
【０００６】
本発明の目的は、絶縁ゴム製の保持体に加える押圧力をほぼ一定に管理できる配電機器を提供することにある。
【課題を解決するための手段】
【０００７】
本発明は上記目的を達成するために、ケーブルを支持部材に保持する絶縁ゴム製の保持体に、押圧により変位する変位部位を形成したのである。
【０００８】
上記構成とすることにより、変位部位の変位の程度を目視しながら押圧力を加えることができ、その結果、保持体に加える押圧力をほぼ一定に管理することができるのである。
【発明の効果】
【０００９】
以上説明したように本発明によれば、絶縁ゴム製の保持体に加える押圧力をほぼ一定に管理できる配電機器を得ることができる。
【発明を実施するための最良の形態】
【００１０】
以下本発明の配電機器の第１の実施の形態を図１〜図４に基づいて説明する。
【００１１】
ケーブル１は、支持部材２に対し例えばクロロプレンゴム等からなる絶縁ゴム製の保持体２によって保持されている。この保持体３は、支持部材２側に配置される第１の保持体４と、この第１の保持体４と対向し後述する押圧力付与側である締付金具７側に配置される第２の保持体５とで構成されている。
【００１２】
これら第１及び第２の保持体４，５には、ケーブル１を挟圧する半円形状のケーブル保持溝６Ａ，６Ｂがケーブ延在方向に沿って形成されている。そして、これら第１及び第２の保持体４，５のケーブル延在方向端面に、ケーブル延在方向に突出する突起部４Ｐ，５Ｐを押圧方向に対向するように設けている。
【００１３】
これら突起部４Ｐ，５Ｐが第１及び第２の保持体４，５を押圧することで変位する変位部位となる。
【００１４】
また、これら突起部４Ｐ，５Ｐは、第１及び第２の保持体４，５の対向面４Ｓ，５Ｓから支持部材２側及び締付金具７側に離れた位置に設けられ、この離れた寸法は第１及び第２の保持体４，５が押圧により圧縮される寸法と同じにする。
【００１５】
この外、当然ながら図示は省略するが、第１及び第２の保持体４，５には、締付金具７を貫通して支持部材２側に捻じ込まれる押圧手段であるボルト８を貫通させるための貫通穴が形成されていることは云うまでもない。
【００１６】
上記構成の保持体３は、図３の状態にあり、この保持体３でケーブル１を保持する場合には、図１に示すように、ケーブル１を第１及び第２の保持体４，５のケーブル保持溝６Ａ，６Ｂに挿入して支持部材２にあてがう。この状態で、第２の保持体５に押圧力を分散させて付与する締付金具７をあてがい、ボルト８を締付金具７−第２の保持体５−第１の保持体４を貫通して支持部材２に捻じ込む。
【００１７】
この状態でボルト８を捻じ込んで行くと、第１及び第２の保持体４，５は次第に圧縮されてゆき、第１及び第２の保持体４，５が圧縮されるにしたがい、図１に示すように離れた位置にあった突起部４Ｐ，５Ｐが、図２及ぶ図４に示すように、対向寸法を狭めて行く。そして、突起部４Ｐ，５Ｐが接触したときにボルト８の捻じ込みを止めてケーブルの保持を完了させる。
【００１８】
このように、突起部４Ｐ，５Ｐが接触したときにボルト８の捻じ込みを止めてケーブルの保持を完了させることで、絶縁ゴム製の保持体３を用いても保持体３に加える押圧力を均一に管理することができる。
【００１９】
図５及び図６は、本発明による配電機器の第２の実施の形態を示す。第１の実施の形態と異なる構成は、図５に示す様に、第１及び第２の保持体４，５のケーブル延在方向に沿って三日月状の貫通穴９Ａ，９Ｂを設けて空所を形成した点であり、それ以外の構成は第１の実施の形態と同じである。
【００２０】
前記三日月状の貫通穴９Ａ，９Ｂは、第１及び第２の保持体４，５に押圧力を付与することで、図５に示す状態から図６に示すように、空所がなくなるまで潰されてゆく。空所がなくなるまで貫通穴９Ａ，９Ｂがつぶされたときに、押圧力の付与を中止することで、押圧力を均一に管理することができる。
【００２１】
図７及び図８は、本発明による配電機器の第３の実施の形態を示す。第２の実施の形態と異なる構成は、図７に示す様に、第１及び第２の保持体４，５の対向面４Ｓ，５Ｓにケーブル延在方向に沿って浅い円弧状溝１０Ａ，１０Ｂを設けて空所を形成した点であり、それ以外の構成は第１の実施の形態と同じである。
【００２２】
前記円弧状溝１０Ａ，１０Ｂは、第１及び第２の保持体４，５に押圧力を付与することで、図７に示す状態から図８に示すように、空所がなくなるまで潰されてゆく。空所がなくなるまで円弧状溝１０Ａ，１０Ｂがつぶされたときに、押圧力の付与を中止することで、押圧力を均一に管理することができる。
【００２３】
ところで、以上の各実施の形態において、保持体３としてケーブル１を挟圧する第１及び第２の保持体４，５を用いたが、図９に示す本発明による配電機器の第４の実施の形態のように、支持部材２に対向する側のみに断面Ｕ字状のケーブル保持溝１２を形成し、ケーブルを支持部材２との間で挟圧する保持体１１としてもよい。
【００２４】
図９は、保持体１１のケーブル保持溝１２の両側に、第２の実施の形態のような三日月状の貫通穴１３Ａ，１３Ｂを設けたもので、貫通穴１３Ａ，１３Ｂが潰れるまで保持体１１に押圧力を加えることで、押圧力を均一に管理する点では上記各実施の形態と同じである。
【００２５】
尚、保持体１１に、第１の実施の形態による突起部や第３の実施の形態による円弧状溝を設けて押圧力の管理を行うことも可能である。
【図面の簡単な説明】
【００２６】
【図１】本発明による配電機器の第１の実施の形態を示す斜視図。
【図２】図１の使用状態を示す斜視図。
【図３】図１の保持体を示す分解斜視図。
【図４】図２の保持体を示す斜視図。
【図５】本発明による配電機器の第２の実施の形態を示す図３相当図。
【図６】本発明による配電機器の第２の実施の形態の図４相当図。
【図７】本発明による配電機器の第３の実施の形態を示す図５相当図。
【図８】本発明による配電機器の第３の実施の形態の図６相当図。
【図９】本発明による配電機器の第４の実施の形態を示す図７相当図。
【符号の説明】
【００２７】
１…ケーブル、２，１１…支持部材、３，１２…保持体、４…第１の保持体、４Ｐ…突起部、４Ｓ…対向面、５…第２の保持体、５Ｐ…突起部、５Ｓ…対向面、７…締付金具、８…ボルト、９Ａ，９Ｂ，１３Ａ，１３Ｂ…貫通穴、１０Ａ，１０Ｂ…円弧状溝。
【図１】
2005229690.tif 000003
【図２】
2005229690.tif 000004
【図３】
2005229690.tif 000005
【図４】
2005229690.tif 000006
【図５】
2005229690.tif 000007
【図６】
2005229690.tif 000008
【図７】
2005229690.tif 000009
【図８】
2005229690.tif 000010
【図９】
2005229690.tif 000011